(57)【要約】【課題】アップリンクチャネルの所要最大出力を低減させ、システム干渉レベルを低減させる。【解決手段】通信システムが、データパケット（２０２）が一次局から二次局へダウンリンクデータチャネル（ＤＬ２）で送信されることが予定されていることを示すインジケータ信号（３０２）の送信用のダウンリンクインジケータチャネル（ＤＬ１）を持つ。動作中、インジケータ信号の受信時、前記二次局は、受信したデータパケットのステータスを示す肯定応答（２０６）又は否定応答信号の送信直前にステータス信号、例えば、否定応答信号（２０４）を前記一次局にアップリンクチャネル（ＵＬ）で送信する。二次局がインジケータ信号を検出し損なう場合を検出する二度の機会を一次局に与えることにより、アップリンクチャネルの所要最大出力を低減させ、システム干渉レベルを低減させることができる。【選択図】図５
2011061854.tif 000002
【特許請求の範囲】
【請求項１】
データパケットが一次局から二次局へダウンリンクデータチャネルで送信されることが予定されていることを示すインジケータ信号の送信用のダウンリンクインジケータチャネルを持ち、前記二次局は、前記インジケータ信号及び前記データパケットを受信するための受信手段、及び受信したデータパケットのステータスを示す信号を前記一次局へ送信するための応答手段を持つ通信システムであって、前記二次局は、複数の後続するサブフレームに分割されたアップリンクチャネルで、前記受信したデータパケットのステータスを示す肯定応答又は否定応答の送信前に前記インジケータ信号の受信を示すステータス信号を、当該二次局が前記受信したデータパケットのステータスを示す前記肯定応答又は否定応答を送信するサブフレームの前のサブフレームにおいて送信するための手段を有する通信システム。
【請求項２】
前記ステータス信号は、否定応答に用いられるものと同じ信号であることを特徴とする請求項１に記載のシステム。
【請求項３】
データパケットが一次局から二次局へダウンリンクデータチャネルで送信されることが予定されていることを示すインジケータ信号の送信用のダウンリンクインジケータチャネルを持つ通信システムで用いる一次局であって、複数の後続するサブフレームに分割されたアップリンクチャネルで、前記二次局により受信されたデータパケットのステータスを示す肯定応答又は否定応答の受信前に前記インジケータ信号の受信を示す前記二次局からのステータス信号を、前記肯定応答又は否定応答が通常受信されるサブフレームの前のサブフレームにおいて受信するための手段が設けられる一次局。
【請求項４】
前記ステータス信号は、否定応答に用いられるものと同じ信号であることを特徴とする請求項３に記載の一次局。
【請求項５】
データパケットが一次局から二次局へダウンリンクデータチャネルで送信されることが予定されていることを示すインジケータ信号の送信用のダウンリンクインジケータチャネルを持つ通信システムで用いる二次局であって、前記インジケータ信号及び前記データパケットを受信するための受信手段、受信したデータパケットのステータスを示す信号を前記一次局へ複数の後続するサブフレームに分割されたアップリンクチャネルで送信するための応答手段、及び前記受信したデータパケットのステータスを示す肯定応答又は否定応答の送信前に前記インジケータ信号の受信を示すステータス信号を、当該二次局が前記受信したデータパケットのステータスを示す前記肯定応答又は否定応答を送信するサブフレームの前のサブフレームにおいて送信するための手段が設けられる二次局。
【請求項６】
前記ステータス信号は、否定応答に用いられるものと同じ信号であることを特徴とする請求項５に記載の二次局。
【請求項７】
前記ステータス信号は、肯定応答と同じ出力で送信されることを特徴とする請求項５又は６に記載の二次局。
【請求項８】
前記インジケータ信号の受信時にタイマをリセットし、前記タイマが満了するまでアップリンク送信の特性を変更するための手段が設けられることを特徴とする請求項５、６又は７に記載の二次局。
【請求項９】
データパケットの送信が検出されない場合データパケットが送信されたかもしれない度に否定応答を送信する手段が設けられ、この否定応答はタイマが満了するまでのみ送信されることを特徴とする請求項８に記載の二次局。
【請求項１０】
前記タイマは１サブフレームの継続時間を持つことを特徴とする請求項８又は９に記載の二次局。
【請求項１１】
受信したデータパケットの肯定応答又は否定応答を予め定められたＮ回送信し、その後前記タイマが満了するまで否定応答を送信するための手段が設けられることを特徴とする請求項９に記載の二次局。
【請求項１２】
前記タイマはＮサブフレームの継続時間を持つことを特徴とする請求項１１に記載の二次局。
【請求項１３】
前記応答の送信前に複数のステータス信号を送信するための手段が設けられることを特徴とする請求項５乃至１２のいずれか一項に記載の二次局。
【請求項１４】
データパケットが一次局から二次局へダウンリンクデータチャネルで送信されることが予定されていることを示すインジケータ信号の送信用のダウンリンクインジケータチャネルを持つ通信システムを動作させる方法であって、前記二次局が前記インジケータ信号及び前記データパケットを受信するステップ、前記二次局が受信したデータパケットのステータスを示す肯定応答又は否定応答を送信するステップ、前記二次局が、複数の後続するサブフレームに分割されたアップリンクチャネルで、前記インジケータ信号の受信を示すステータス信号を、当該二次局が前記受信したデータパケットのステータスを示す前記肯定応答又は否定応答を送信するサブフレームの前のサブフレームにおいて送信するステップを有する方法。
【発明の詳細な説明】
【技術分野】
【０００１】
本発明は、通信システムに関し、さらに、斯かるシステムで用いる一次及び二次局、並びに斯かるシステムを動作させる方法に関する。本願明細書はとりわけＵＭＴＳ(Universal Mobile Telecommunication System)に関するシステムを述べているが、斯かる技術はその他の通信システムにおける使用にも等しく適用可能であることが理解されるべきである。
【背景技術】
【０００２】
移動体通信の分野において、妥当な速度でオンデマンドにより移動局(Mobile Station (MS))に多量のデータブロックをダウンロードする能力を持つシステムへの高まる要求がある。斯かるデータは、例えば、ビデオクリップ又は同等のものを場合によっては含む、インターネットからのウェブページがあり得る。一般に、あるＭＳは斯かるデータを断続的にしか要求せず、ゆえに、固定帯域幅の専用リンクは妥当でない。ＵＭＴＳにおいてこの要件を満たすために、ＨＳＤＰＡ(High-Speed Downlink Packet Access)方式が開発されている。この方式によれば、４Ｍｂｐｓまでの移動局へのパケットデータの転送が容易にできる。
【０００３】
パケットデータ送信システムの従来の構成要素に、誤って受信されたデータパケットに対処するためのＡＲＱ(Automatic Repeat reQuest)プロセスがある。例えば、ＨＳＤＰＡにおける基地局(Base Station (BS))から移動局(MS)へのダウンリンクパケット送信を考える。ＭＳがデータパケットを受信する場合、ＭＳは該パケットが壊れているかどうかを、例えばＣＲＣ(Cyclic Redundancy Check)情報を用いて判断する。次いで、ＭＳは、この目的のために割り当てられたフィールドで信号をＢＳに送信し、ここで、第１信号が、パケットが成功裏に受信されたことを示すために、肯定応答(acknowledgement (ACK))として用いられ、第２信号が、パケットは受信されたが壊れていたことを示すために、否定応答(negative acknowledgement (NACK))として用いられる。これら信号は、例えば、異なるコードワード又は異なる出力で送信される同一のコードワードであってもよい。ＢＳは、ＡＣＫ／ＮＡＣＫメッセージを正しく復号できるように設定されるべき判定閾値(decision threshold)に関する適当なポジションを必要とする。
【０００４】
パケット送信は一般に断続的であるので、データパケットが受信されない限りＡＣＫ／ＮＡＣＫフィールドにおいてＭＳにより何も送信されないような、ＤＴＸ(Discontinuous Transmission)が一般に用いられてもよい。典型的なケースでは、ＭＳが送られたデータパケットを検出し損なう確率は１％であろう。この場合、ＢＳがＮＡＣＫであるかのようにＤＴＸを解釈して、パケットがＭＳに再送信され得ることが望まれる。ＤＴＸをＮＡＣＫと解釈することは、ＢＳにおいて判定閾値をＡＣＫ信号に向けてオフセットすること、またはＭＳが、パケットが検出されてもされなくても、正しいＣＲＣを持つパケットに対応しないＡＣＫ／ＮＡＣＫフィールド毎にＮＡＣＫを送信することのいずれかにより達成されてもよい。
【０００５】
ＭＳがＡＣＫ／ＮＡＣＫフィールド毎に送信する場合の問題点は、アップリンク干渉が著しく増加し、さらに、ＭＳのバッテリ寿命が低下することである。これは、（よくあることであるが）パケットトラヒックがバースティ(bursty)である場合に、その結果として、パケットがＭＳに送信されていない場合にも多くのＡＣＫ／ＮＡＣＫフィールドにおいてＭＳは送信することが要求されることになるので、とりわけ問題である。
【０００６】
ＡＣＫコマンドとＮＡＣＫコマンドとの間で判定するための閾値をオフセットする場合の問題点は、ＡＣＫがＮＡＣＫと解釈される確率を許容できる低さにするために、（以下に述べるように）ＡＣＫコマンドの送信出力を増加させる必要があることである。ＭＳがＡＣＫを送信する確率は、うまく設計された通信システムにおいてＭＳがＮＡＣＫを送信する確率よりもかなり高くなるはずであり、それゆえ、ＡＣＫ送信出力の増加は、ＡＣＫ／ＮＡＣＫフィールドで必要とされる平均送信出力を著しく増大させるであろう。
【０００７】
ＡＣＫをＮＡＣＫと誤解釈する確率が１％未満であり、ＮＡＣＫをＡＣＫと誤解釈する確率が０．０１％未満であることを要求する典型的な通信システムを考える。ＭＳがパケットを検出しない確率が１％であると仮定すると、ＤＴＸをＮＡＣＫと誤解釈する確率は、（ＭＳがパケットを受信せず、そのＤＴＸがＡＣＫと解釈される複合確率がＮＡＣＫをＡＣＫと誤解釈する確率と同じ、すなわち、０．０１％未満であるように）１％未満であるべきである。典型的な移動体通信チャネルに対するシミュレーションが、ＤＴＸをＡＣＫと誤解釈する確率が１％未満であることを保証するのに十分なＡＣＫに向けた判定閾値のオフセットは、ＡＣＫ出力がＮＡＣＫ出力よりもいくつかのケースで１０又は２０ｄＢも大きくすることを必要とする結果を示した。
【０００８】
本願出願人の同時係続中の英国特許出願第0207696.6号（出願人参照番号：PHGB 020034）に開示される一つの部分的な解決策は、タイマが動作している限りＭＳが始めのＡＣＫ／ＮＡＣＫ後連続的にＮＡＣＫを送信することである。これは、ＢＳが判定閾値をオフセットする必要性を回避し、これにより、必要とされるＡＣＫ出力が低減する。しかしながら、この方式を用いた問題点は、ＢＳが一連のパケットの最初のパケットに対してＡＣＫ／ＮＡＣＫ判定閾値をオフセットする必要が依然あり、さもなければ、この最初のパケット後のＤＴＸに対してより高い誤検出確率(mis-detection probability)を容認しなければならないことである。
【発明の概要】
【発明が解決しようとする課題】
【０００９】
本発明の目的は、上述の問題点に対処することにある。
【課題を解決するための手段】
【００１０】
本発明の第１の態様によれば、データパケットが一次局から二次局へダウンリンクデータチャネルで送信されることが予定されていることを示すインジケータ信号の送信用のダウンリンクインジケータチャネルを持ち、前記二次局は、前記インジケータ信号及び前記データパケットを受信するための受信手段、及び受信したデータパケットのステータスを示す信号を前記一次局へ送信するための応答手段を持つ通信システムであって、前記二次局は、前記受信したデータパケットのステータスを示す肯定応答又は否定応答の送信前に前記インジケータ信号の受信を示すステータス信号をアップリンクチャネルで送信するための手段を有する通信システムが提供される。
【００１１】
二次局がインジケータ信号の受信を示すステータス信号を送信するように構成することにより、一次局は、二次局がインジケータ信号を受信し損なう場合を検出する少なくとも二度の機会（すなわち、一次局が、始めのステータス信号の受信に対するタイムスロットにおいて何も受信しない、及びデータパケットの受信に応じたＡＣＫ又はＮＡＣＫに対するタイムスロットにおいて何も受信しない）を持つ。したがって、一次局がＤＴＸをＡＣＫ又はＮＡＣＫと誤解釈する確率が低減し、アップリンクチャネルの所要最大出力(peak power requirement)が低減し、これにより、干渉レベルを低減させることができる。本発明の好ましい実施例において、ステータス信号はＮＡＣＫである。
【００１２】
本発明の第２の態様によれば、データパケットが一次局から二次局へダウンリンクデータチャネルで送信されることが予定されていることを示すインジケータ信号の送信用のダウンリンクインジケータチャネルを持つ通信システムで用いる一次局であって、前記二次局により受信されたデータパケットのステータスを示す肯定応答又は否定応答の受信前に前記インジケータ信号の受信を示すステータス信号を前記二次局からアップリンクチャネルで受信するための手段が設けられる一次局が提供される。
【００１３】
本発明の第３の態様によれば、データパケットが一次局から二次局へダウンリンクデータチャネルで送信されることが予定されていることを示すインジケータ信号の送信用のダウンリンクインジケータチャネルを持つ通信システムで用いる二次局であって、前記インジケータ信号及び前記データパケットを受信するための受信手段、受信したデータパケットのステータスを示す信号を前記一次局へアップリンクチャネルで送信するための応答手段、及び前記受信したデータパケットのステータスを示す肯定応答又は否定応答の送信前に前記インジケータ信号の受信を示すステータス信号を送信するための手段が設けられる二次局が提供される。
【００１４】
本発明の第４の態様によれば、データパケットが一次局から二次局へダウンリンクデータチャネルで送信されることが予定されていることを示すインジケータ信号の送信用のダウンリンクインジケータチャネルを持つ通信システムを動作させる方法であって、前記二次局が前記インジケータ信号及び前記データパケットを受信するステップ、及び前記二次局が受信したデータパケットのステータスを示す肯定応答又は否定応答の送信前に前記インジケータ信号の受信を示すステータス信号をアップリンクチャネルで送信するステップを有する方法が提供される。
【００１５】
本発明は、データパケット自体の受信に関する肯定応答又は否定応答に加え、データパケットが送信されるはずであるというインジケーションの受信時におけるステータス信号の送信が、所要最大アップリンク出力を低減させ、これにより、システム干渉が低減するという従来技術には存在しない認識に基づいている。
【００１６】
本発明の実施例を例示として添付の図面を参照して述べる。
【図面の簡単な説明】
【００１７】
【図１】無線通信システムのブロック略図である。
【図２】既知のストップアンドウェイトＡＲＱ方式の動作を示す図である。
【図３】基本的なＨＳＤＰＡパケット送信方式の動作を示す図である。
【図４】ＮＡＣＫの繰り返しを含む改善されたＨＳＤＰＡパケット送信方式の動作を示す図である。
【図５】パケットインジケーションの通知検出を含む改善されたＨＳＤＰＡパケット送信方式の動作を示す図である。
【図６】ＮＡＣＫの繰り返し及びパケットインジケーションの通知検出を含む改善されたＨＳＤＰＡパケット送信方式の動作を示す図である。
【図７】(実線で示される)図３の方式及び(破線で示される)図６の方式に対する所要最大出力を示すグラフである。
【図８】本発明によるパケットデータ送信システムを動作させる方法を示すフローチャートである。
【発明を実施するための形態】
【００１８】
図において、同一の参照数字は、対応するフィーチャを示すために用いられている。
【００１９】
図１を参照すると、無線通信システムは、一次局（ＢＳ）１００及び複数の二次局（ＭＳ）１１０を有する。ＢＳ１００は、マイクロコントローラ（μＣ）１０２、アンテナ手段１０６に接続された送受信手段（Ｔｘ／Ｒｘ）１０４、送信出力レベルを変えるための出力制御手段（ＰＣ）１０７、及びＰＳＴＮ又は他の適切なネットワークに接続するための接続手段１０８を有する。各ＭＳ１１０は、マイクロコントローラ（μＣ）１１２、アンテナ手段１１６に接続された送受信手段（Ｔｘ／Ｒｘ）１１４、及び送信出力レベルを変えるための出力制御手段（ＰＣ）１１８を有する。ＢＳ１００からＭＳ１１０への通信がダウンリンクチャネル１２２で行われる一方、ＭＳ１１０からＢＳ１００への通信がアップリンクチャネル１２４で行われる。
【００２０】
既知のストップアンドウェイトＡＲＱ方式(stop-and-wait ARQ scheme)の動作の一例が図２に図示されている。Ｐｎ（ｎは１ビットのシーケンス番号）として識別されるデータパケット２０２が、ＢＳ１００からＭＳ１１０にダウンリンクチャネル（ＤＬ）１２２上を割り当てられたタイムスロットで送信される。シーケンス番号０を付した第１データパケットＰ０が、ＭＳ１１０により壊れた状態で受信され、それゆえ、ＭＳ１１０は、肯定及び否定応答の送信用に確保されているフィールドで否定応答（Ｎ）２０４を送信する。これに応答して、ＢＳ１００は、第１データパケット２０２を再送信し、今度はＭＳ１００により正しく受信され、ＭＳ１００は、肯定応答（Ａ）２０６を送信する。次いで、ＢＳ１００は、シーケンス番号１を付した次のパケットを送信する。ＢＳ１００はまた、（ＭＳ１１０がパケットを全く受信しなかった場合、または、肯定応答が紛失した場合において）所定のタイムアウト期間内に肯定応答を受信しない場合データパケット２０２を再送信する。実際のところＭＳ１１０が既送信のパケット２０２を受信した場合、ＭＳ１１０は、受信したパケット２０２が既パケットと同一のシーケンス番号を持つ場合に、該パケット２０２は再送信であると判断することができる。
【００２１】
現在規格化されているＨＳＤＰＡの動作が図３に示されている。図３は、ＨＳＤＰＡを提供するために用いられる種々のチャネル間のおおよそのタイミング関係を簡略化された形態で示している。ＭＳ１１０に送信予定のデータパケット２０２の存在が、ダウンリンクインジケータチャネルＤＬ１(HS-SCCH: High Speed Shared Control CHannel)のサブフレームＮにおいてインジケータ信号Ｉ３０２の送信により通知される。この後、ダウンリンクデータチャネルＤＬ２(HS-DSCH: High Speed Downlink Shared CHannel)でのデータパケットＰ２０２の送信が続く。ＭＳ１１０がパケット２０２を正しく復号する場合、ＭＳ１１０は、図示のアップリンクチャネル(HS-DPCCH: High Speed Dedicated Physical Control CHannel)のサブフレームＮにおいてＡＣＫ２０６を送出する。パケットが正しく復号されない場合、ＮＡＣＫ２０４が代わりに送出される。
【００２２】
ＭＳ１１０がインジケータ信号３０２を検出し損なう場合、ＭＳ１１０はアップリンクチャネル１２４のサブフレームＮにおいて何も送信しないであろう（すなわちＭＳ１１０はＤＴＸを用いる）。ここで、ＢＳ１００がＤＴＸをＡＣＫ２０６と間違えて検出する場合、ＢＳは当該パケットの物理層再送信を行わないであろう。これは、ＭＳ１１０がこの逸したパケットを正しく受信できるとするならば、高次層のプロトコルが必要とされることを意味する。しかしながら、斯かるプロトコルは、大量の余計な通知トラヒック(signalling traffic)（ゆえに、より多くの干渉）を引き起こし、リアルタイムアプリケーションにとって遅すぎるであろう。
【００２３】
ＢＳがＤＴＸをＡＣＫ２０６と間違えて検出する確率を抑えるために（０．０１の確率が許容可能であるとみなされるようである）、ＢＳは、ＡＣＫ／ＮＡＣＫ判定閾値をＮＡＣＫの好ましい検出に対してオフセットしなければならない。しかしながら、これは、ＡＣＫメッセージに必要とされる出力が増加し、通常のアップリンクＤＰＣＣＨに必要とされる出力よりも１０乃至２０ｄＢも大きくなり得ることを意味する。
【００２４】
本願出願人の同時係続中の英国特許出願第0207696.6号（出願人参照番号PHGB 020034）に開示されるこの問題の部分的な解決策を、図４を参照して述べる。この方式では、ＭＳ１１０は、アップリンクチャネル１２４のサブフレームＮにおいてＡＣＫ２０６（図示）又はＮＡＣＫ２０４を送信し、次いで、タイマが動作している限り、パケットがＨＳ−ＳＣＣＨを介して検出されなかったＨＳ−ＤＳＣＨサブフレームに対応するアップリンクサブフレーム毎にＮＡＣＫ２０４を送信し続ける。言い換えると、タイマが動作している間、データパケット２０２がダウンリンクＨＳ−ＤＳＣＨのサブフレームＮにおいて正しく復号されなかった場合、ＮＡＣＫ２０４がアップリンクチャネル１２４のサブフレームＮにおいて送信される。このようにして、パケットの連続（またはほぼ連続）バーストの間、ＢＳ１００は、（恐らくは各バーストにおける最初のパケットを除いて）判定閾値をオフセットする必要がなく、これにより、所要のＡＣＫ出力が低下する。
【００２５】
しかしながら、この方式の不利な点は、ＢＳ１００が各バーストにおける最初のパケットに対してＡＣＫ／ＮＡＣＫ判定閾値をオフセットする必要が依然あり、さもなければ、この最初のパケット後のＤＴＸに対してより高い誤検出確率を容認しなければならないことである。斯くして、アップリンクチャネル１２４に必要とされる最大送信出力は（ＢＳ１００が何れの最初のパケットに対しても判定閾値をオフセットしない（この場合、各バーストにおける最初のパケットは、ＤＴＸを誤解釈するより高い確率を被るであろう）場合を除き）改善されない。さらに、パケットが個別にしか生じない（すなわち、パケットとパケットとの間がタイマの継続時間よりも長い期間によって区切られている）場合、タイマを動作させながらＮＡＣＫ２０４を送信する方式は何の利益ももたらさない。
【００２６】
本発明による改善された方式を、図５を参照して述べる。この方式においては、ＭＳ１１０がダウンリンクインジケータチャネル上でパケットインジケーション３０２を検出する場合、ＭＳ１１０は、データパケット２０２に関するＡＣＫ２０６又はＮＡＣＫ２０４を通常送信するサブフレームの前のサブフレームにおいてステータス信号としてＮＡＣＫ２０４を送信する。図示のケースでは、インジケータ信号３０２がインジケータチャネルのサブフレームＮにおいて送信され、これに応答してＭＳ１１０は、（データパケットがダウンリンクデータチャネルのサブフレームＮ−１から成功裏に復号されている場合を除き）アップリンクチャネル１２４のサブフレームＮ−１においてＮＡＣＫ２０４を送信する。本発明の他の実施例において、ステータス信号はＮＡＣＫ２０４である必要はない。例えば、ステータス信号はＡＣＫ２０６又は他のなんらかの適切な信号とすることができる。
【００２７】
この方式を用いることにより、ＭＳ１１０がダウンリンクインジケータチャネルＤＬ１で送信されたパケットインジケーション３０２を検出し損ねていることをＢＳ１００が検出し損なう確率が、アップリンクチャネル１２４上の少なくとも２つの送信間でシェアされるように通信システムを設計することができる。斯くして、ＤＴＸがＡＣＫ２０６として検出される総確率(overall probability)が０．０１より低いことが必要とされる場合、サブフレームＮ−１におけるＮＡＣＫ送信の出力を、ＢＳ１００がサブフレームＮ−１におけるＤＴＸをＮＡＣＫ２０４と誤って検出する確率が０．１であるように設定することができ、サブフレームＮにおけるＡＣＫ送信の出力を、ＢＳ１００がサブフレームＮにおけるＤＴＸをＡＣＫ２０６と誤って検出する確率も０．１であるように設定することができる。このようにして、アップリンクチャネル１２４に対する所要最大出力が最小になる。これは、サブフレームＮ−１におけるＮＡＣＫ送信に用いられる送信出力が他のＮＡＣＫに用いられる送信出力と異なってもよい、という結果になる。実際のところは、サブフレームＮ−１におけるＮＡＣＫ送信に用いられる送信出力はＡＣＫ送信に通常用いられる送信出力と同一であることが好ましい。
【００２８】
好ましい実施例においては、図５の方式を図４の方式と組み合わせることができる。とりわけ、タイマがサブフレームＮの後１サブフレーム分動作する図４の挙動の特別のケースが用いられてもよい。斯くして、ＡＣＫ又はＮＡＣＫがサブフレームＮにおいて送信された場合、他のパケットがダウンリンクデータチャネル上のサブフレームＮ−１において追従し、正しく復号される（この場合、ＡＣＫがアップリンクチャネル１２４上のサブフレームＮ＋１において送信されることになる）場合を除き、ＭＳ１１０は常にサブフレームＮ＋１においてさらにＮＡＣＫ２０４を送信するであろう。したがって、ＢＳ１００は、１サブフレームのみにおいてＤＴＸとＡＣＫ２０６とを見極める必要はない。本発明のこの実施例のとりわけ有利な点は、ＡＣＫの所要出力が低減する利益を得るためにタイマが１サブフレームよりも長く動作する必要がないことである。
【００２９】
現在のＨＳＤＰＡ規格によれば、システムは、送信出力を増加させることなく信頼性を高めるためにＡＣＫ又はＮＡＣＫを何回か後続のサブフレームにおいて繰り返す（繰り返しは最大３回）ことを要求することも可能である。既パケットからのＡＣＫ／ＮＡＣＫの繰り返しを含むアップリンクチャネル１２４上のサブフレームに対応する如何なるサブフレームにおいてもダウンリンクデータチャネル上をパケットは送信されないであろう。
【００３０】
この場合、本発明は、この予備的なＮＡＣＫ２０４に必要とされる出力を通常のＡＣＫ／ＮＡＣＫ送信に必要とされる出力と同様に保つために、ＭＳ１１０がインジケータチャネル上のパケットインジケーションの検出時にサブフレームＮ−１及びサブフレームＮ−２の両方においてＮＡＣＫ２０４を送信するように適用され得る。しかしながら、ＡＣＫ／ＮＡＣＫを繰り返す数が１より大きな値に設定されるシステムにおいてＮＡＣＫ２０４をアップリンクチャネル１２４のサブフレームＮ−３において送信するために、インジケータチャネルのサブフレームＮにおけるインジケータ信号３０２及びアップリンクチャネル１２４上のサブフレームＮ−３間に十分な時間はない。
【００３１】
そのようなシステムにおいて、タイマが、さらなるＮＡＣＫ２０４を通常のＡＣＫ／ＮＡＣＫ後に送信させるように依然用いられ得る（しかしながら、タイマは１サブフレームより長く動作する必要があろう）。この場合、このさらなるＮＡＣＫは、通常のＡＣＫ／ＮＡＣＫと同じ数のサブフレームにわたって繰り返され、通常のＡＣＫ／ＮＡＣＫの最後の繰り返しに後続するであろう。これが、各ＡＣＫ／ＮＡＣＫの繰り返し数が１に設定される場合について図６に図示されている。
【００３２】
データパケットの存在が、サブフレームＮにおいて通例通りインジケータ信号３０２により通知される。次いで、ＮＡＣＫ２０４が、サブフレームＮ−２及びＮ−１において（サブフレームＮ−２におけるダウンリンクデータチャネル上のパケットが既に正しく復号されている（この場合、ＡＣＫ２０６がサブフレームＮ−２及びＮ−１において送出されることになる）場合を除き）送信される。パケットが正しく復号される場合、ＡＣＫ２０６がサブフレームＮにおいてアップリンクチャネル１２４上で送出され、サブフレームＮ＋１において繰り返される。サブフレームＮ＋１においてダウンリンクデータチャネル上をパケットは送信されないであろう。パケットが正しく復号されない場合、ＮＡＣＫ２０６がサブフレームＮにおいてアップリンクチャネル１２４上で送出され、サブフレームＮ＋１において繰り返される。さらに、タイマの使用に応じて、パケットがダウンリンクデータチャネル上でサブフレームＮ＋２から正しく復号される（この場合、ＡＣＫ２０６がサブフレームＮ＋２及びＮ＋３において送出されることになる）場合を除き、ＮＡＣＫ２０４が常にアップリンクチャネル１２４のサブフレームＮ＋２及びＮ＋３において送出される。
【００３３】
ＢＳ１００からの通知によりインジケータ信号３０２の受領を示すＮＡＣＫ２０６の送信をオン及びオフさせ得るようにすることが望ましいであろう。この通知は、通常のパケット応答後のＮＡＣＫ２０４の送信のためのタイマのオン及びオフと組み合わされてもよい（すなわち、これらは一緒にオン及びオフされる）。他の例においては、これらは、互いに独立してオン及びオフされてもよい。斯かるスイッチングは、ＭＳ１１０の状態、例えばＭＳ１１０がソフトハンドオーバ中であるかどうか、またはＡＣＫ及びＮＡＣＫの繰り返し数の選択によって決定され得るであろう。
【００３４】
本発明の使用をオフさせることが望まれ得る一つの例は、ＢＳ１００がとりわけＮＡＣＫと別の事象としてＤＴＸを検出しようと試みる場合である。これは、例えば、ＭＳ１１０において同一のソフトバッファで直接組み合わせられ得ない、別個の冗長性のバージョンが再送信に用いられる場合かもしれない。しかしながら、これは、追跡の組み合わせ(Chase combining)を用いた場合には問題とならないであろう。
【００３５】
（本発明のアップリンクチャネル１２４の所要最大出力と１サブフレームタイマとを組み合わせた観点での）利益を示すシミュレーション結果が図７に示されている。これは、ＭＳ１１０の速度Ｖ（単位ｋｍ／ｈ）に対する、通常のアップリンク（ＤＰＣＣＨ）送信出力に対する所要最大アップリンク出力Ｐ（単位ｄＢ）のグラフである。このシミュレーションにおいて、ＤＴＸをＡＣＫ２０６と誤検出する総確率が０．０１であることが必要とされている。初期的なＮＡＣＫ又は後続するタイマを用いない所要出力が実線として示され、初期的なＮＡＣＫ及び後続する１サブフレーム継続時間のタイマを用いた所要出力が破線として示されている。２つの技術を共に使用すると３及び６ｄＢの利益をもたらすことが分かる。
【００３６】
斯かる組み合わせ方式の動作が、図８に示されるフローチャートによってまとめられている。本方法は、ＭＳ１１０がデータパケット２０２を受信する準備ができている場合、ステップ８０２において開始する。テスト８０４は、データパケットに関するインジケータ信号３０２を受信したかどうかＭＳ１１０が判断することに関する。受信している場合、ＭＳ１１０は、ステップ８０６において、否定応答を送信し、データパケットの受信に進む。テスト８０８は、データパケットを成功裏に受信したかどうかＭＳ１１０が判断することに関する。データパケット２０２が受信される場合、テスト８０８を通過し、ステップ８１０においてタイマがリセットされ、ステップ８１２において肯定応答２０６が送信され、ＭＳ１１０はインジケータ信号３０２をチェックするためにテスト８０４に戻る。タイマのリセットは、まだ動作していない場合にタイマの始動を、又はすでに動作しているタイマの再始動を伴ってもよい。
【００３７】
データパケットが成功裏に受信されない場合、テスト８０８は失敗に終わり、さらなるテスト８１４が、タイマが動作しているかどうか判断するためになされる。タイマが動作している場合、テスト８１４を通過し、ＭＳ１１０は、ステップ８１６において、対応するＡＣＫ／ＮＡＣＫフィールドにおいて否定応答２０４を送信し、テスト８０４に戻る。タイマが動作していない場合、テスト８１４は失敗に終わり、ＭＳ１１０は直接テスト８０４に戻る。
【００３８】
上述の説明は、ＵＭＴＳ ＦＤＤ(Frequency Division Duplex)モードに向けられている。本発明は、ＴＤＤ(Time Division Duplex)モードにも適用され得る。この場合、アップリンク及びダウンリンクチャネルが同一周波数において異なるタイムスロットを用いる事実（すなわち相互的チャネル(reciprocal channel)）が、チャネル情報を通知する必要性を低減させるであろう。
【００３９】
上記の説明は、本発明に関する様々な役割を遂行するＢＳ１００に関するものであった。実際には、これらのタスクは、固定インフラストラクチャの様々な部分の責務、例えば、ＭＳ１１０と直接インターフェースしている固定インフラストラクチャの一部である「ノードＢ」、又は無線ネットワークコントローラ（ＲＮＣ）のより高いレベルにおける責務であってもよい。従って、この明細書において、用語「基地局」又は「１次局」の使用は、本発明の実施例が伴うネットワーク固定インフラストラクチャの一部を含むと理解されるべきである。
【００４０】
本開示を読むことにより、他の変形例が、当業者にとって明らかになるであろう。このような変形例は、通信システム及び斯かるシステムの構成部品の設計、製造及び使用において既知であると共に、ここに既述した特徴に代えて又は斯かる特徴に加えて使用することができるような他の特徴を含むことができる。
【００４１】
本明細書や請求項において、単数形の構成要素は複数の斯様な構成要素の存在を排除するものではない。また、"有する"なる文言は記載されたもの以外の他の構成要素又はステップの存在を排除するものではない。
【図１】
2011061854.tif 000003
【図２】
2011061854.tif 000004
【図３】
2011061854.tif 000005
【図４】
2011061854.tif 000006
【図５】
2011061854.tif 000007
【図６】
2011061854.tif 000008
【図７】
2011061854.tif 000009
【図８】
2011061854.tif 000010
【外国語明細書】
2011061854000001.pdf